(57)【要約】【課題】眼底部・前眼部の観察及び撮影切換えの際に合焦レンズの再調整を不要とし、眼底部・前眼部の観察及び撮影切換えを容易にする。【解決手段】  眼底部の観察には、補助レンズを光路から退避させてから、本体部を被検者に近付けるように操作する。Ｓ１１において、本体部の位置を確認し、距離が所定値以上ある場合にはＳ１２に進み、合焦レンズをプラスディオプタ側に移動する。所定距離以上に離れていないことが確認されるとＳ１３に進み、補助レンズが光路内から退避しているかを判断し、退避していない場合にはＳ１２に進む。補助レンズが光路から退避したと判断された場合にはＳ１４に進み、制御手段はフォーカス位置記憶手段に記憶された所定の位置に合焦レンズを移動させる。Ｓ１５において、眼底像を観察しながら詳細な位置合わせ、及び合焦レンズによる詳細なピント合わせを行って撮影範囲の確認を行い、Ｓ１６で撮影を実行する。【選択図】図６
2011050439.tif 000002
【特許請求の範囲】
【請求項１】
被検眼を観察・撮影する光学系と、該光学系を被検眼に対して前後左右に移動可能な架台と、前記光学系に対して挿脱自在な補助レンズと、被検眼にピントを合わせる合焦レンズと、該合焦レンズを光軸に沿って移動する合焦レンズ駆動手段とを備えた眼科撮影装置であって、前記架台が被検眼に対し所定距離だけ離れたことを検出する架台位置検出手段と、前記補助レンズが前記光学系に挿入されたことを検知する補助レンズ挿入検出手段と、前記合焦レンズの位置を記憶する記憶手段と、前記架台位置検出手段と前記補助レンズ挿入検出手段の出力に基づいて、前記合焦レンズ駆動手段により、前記合焦レンズを前記記憶手段に記憶した所定の位置に移動する制御手段とを有することを特徴とする眼科撮影装置。
【請求項２】
前記補助レンズは前記光学系の合焦範囲を拡大する視度補正レンズと共用することを特徴とする請求項１に記載の眼科撮影装置。
【請求項３】
前記合焦レンズの所定の位置は、前記合焦レンズのプラスディオプタ側であることを特徴とする請求項１に記載の眼科撮影装置。
【請求項４】
眼底部撮影と前眼部撮影の切換時に光量を連動して切換えることを特徴とする請求項１に記載の眼科撮影装置。
【請求項５】
眼底部観察と前眼部観察の切換時に、照明光学系に設け、開口部の面積が異なる水晶体絞りを連動して切換えることを特徴とする請求項１に記載の眼科撮影装置。
【発明の詳細な説明】
【技術分野】
【０００１】
本発明は、眼科医院等において使用される被検眼の眼底部・前眼部を観察・撮影する眼科撮影装置に関するものである。
【背景技術】
【０００２】
従来から、特許文献１に示すように眼底部観察から前眼部観察への切換えを、被検眼に対して前後左右に移動可能な架台の位置に応じて、観察・撮影光学系の光路内に補助レンズ光学系を挿入することにより可能とした眼科撮影装置が知られている。
【０００３】
この場合に、眼底部撮影においては架台を被検眼に接近させ、かつ補助レンズ光学系を光路外に退避させて観察・撮影を行い、前眼部撮影においては架台を被検眼から遠去け、補助レンズ光学系を光路内に挿入し観察・撮影を実施している。
【先行技術文献】
【特許文献】
【０００４】
【特許文献１】特開平６−２５４０５４号公報
【発明の概要】
【発明が解決しようとする課題】
【０００５】
しかしながら、上述の眼科撮影装置においては、眼底部・前眼部の観察及び撮影の切換えの際に、補助レンズ光学系の挿脱に伴う合焦レンズの再調整を余儀なくされ、操作が煩雑になるという問題点を有している。
【０００６】
本発明の目的は、上述の問題点を解消し、観察及び撮影切換えの際に合焦レンズの再調整を不要とし、観察及び撮影の切換えを容易にした眼科撮影装置を提供することにある。
【課題を解決するための手段】
【０００７】
上記目的を達成するための本発明に係る眼科撮影装置は、被検眼を観察・撮影する光学系と、該光学系を被検眼に対して前後左右に移動可能な架台と、前記光学系に対して挿脱自在な補助レンズと、被検眼にピントを合わせる合焦レンズと、該合焦レンズを光軸に沿って移動する合焦レンズ駆動手段とを備えた眼科撮影装置であって、前記架台が被検眼に対し所定距離だけ離れたことを検出する架台位置検出手段と、前記補助レンズが前記光学系に挿入されたことを検知する補助レンズ挿入検出手段と、前記合焦レンズの位置を記憶する記憶手段と、前記架台位置検出手段と前記補助レンズ挿入検出手段の出力に基づいて、前記合焦レンズ駆動手段により、前記合焦レンズを前記記憶手段に記憶した所定の位置に移動する制御手段とを有することを特徴とする。
【発明の効果】
【０００８】
本発明に係る眼科撮影装置においては、眼底部・前眼部の観察及び撮影切換えの際に合焦レンズの再調整を不要とし、眼底部・前眼部の観察及び撮影切換えを容易とし、被検者への負担を軽減することができる。
【図面の簡単な説明】
【０００９】
【図１】眼科撮影装置の構成図である。
【図２】水晶体絞りの正面図である。
【図３】眼科撮影装置の外観図である。
【図４】架台位置検出手段の構成図である。
【図５】前眼観察・撮影のフローチャート図である。
【図６】眼底観察・撮影のフローチャート図である。
【発明を実施するための形態】
【００１０】
本発明を図示の実施例に基づいて詳細に説明する。
【実施例１】
【００１１】
図１は被検眼を観察・撮影する眼科撮影装置の構成図を示している。観察用照明光源であるハロゲンランプ１から対物レンズ２に至る照明光学系が設けられている。つまり、ハロゲンランプ１には、可視カットフィルタ３、拡散板４、キセノン管５、レンズ６、リング状の開口部を有する瞳絞り７、光路に挿脱自在のリング状の開口部を有する水晶体絞り８、ミラー９が配列されている。ミラー９の反射方向には、リレーレンズ１０、１１、リング状の開口部を有する角膜絞り１２、孔あきミラー１３が順次に配列されている。また、ハロゲンランプ１の後方には、反射鏡１４が設けられている。
【００１２】
孔あきミラー１３の後方の観察撮影光学系には、撮影絞り１５、光路に挿脱自在で合焦範囲を拡大する視度補正レンズ１６、光路に挿脱自在の倍率拡大用の補助レンズ１７、光軸に沿って移動する合焦レンズ１８、結像レンズ１９、撮像手段２０が配列されている。また、補助レンズ１７の近傍には、光路内への補助レンズ１７の挿脱を検出する補助レンズ挿入検出手段２１が設けられている。
【００１３】
撮像手段２０の出力は制御手段２２に接続され、制御手段２２は補助レンズ挿入検出手段２１、合焦レンズ駆動手段２３、モニタ２４、架台の位置を検出するマイクロスイッチ等から成る架台位置検出手段２５、撮影スイッチ２６と接続されている。
【００１４】
観察時には、ハロゲンランプ１から出射した光束は、可視カットフィルタ３により可視光波長領域の光がカットされた赤外光とされ、拡散板４、キセノン管５、レンズ６、瞳絞り７、水晶体絞り８を透過し、ミラー９に入射する。ミラー９において反射された光束は、リレーレンズ１０、１１、角膜絞り１２を通過し、孔あきミラー１３において反射され、対物レンズ２を経て図示しない被検眼に入射する。また撮影時には、キセノン管５が出射した可視色光が、観察時の赤外光と同様の光路を経て被検眼に入射する。
【００１５】
そして、被検眼において反射された光束は、再度、対物レンズ２を透過した後に、孔あきミラー１３の孔部を通過し、撮影絞り１５、視度補正レンズ１６、補助レンズ１７、合焦レンズ１８、結像レンズ１９を経て撮像手段２０に結像する。
【００１６】
また、被検眼の散瞳が十分でない場合には、図２（ａ）に示す水晶体絞り８から、図２（ｂ）に示す中央の遮光部を小さくし、開口部の面積を拡大させた水晶体絞り８’に切換えることが可能となっている。
【００１７】
図３は本実施例における眼科撮影装置の外観図を示し、基台３１上には矢印方向に前後左右に移動可能な架台３２が載置されている。この架台３２上には、図１に示す眼科撮影装置の光学系を内蔵した本体部３３及びモニタ２４が載置され、頂部に撮影スイッチ２６を有する操作桿３４が設けられ、基台３１と架台３２の間には架台位置検出手段２５が設けられている。
【００１８】
図４は架台位置検出手段２５の構成図である。基台３１の上面の前後方向には高低差が設けられており、低い部分３１ａと高い部分３１ｂとが設けられている。架台３２の底面に設けられた架台位置検出手段２５は、基台３１の低い部分３１ａの上部に位置するときはオフ状態に、高い部分３１ｂの上部に位置するときはオン状態となる。つまり、基台３１の底面の低い部分３１ａは被検者Ｓ側に、高い部分３１ｂは撮影者側に設けられているため、架台位置検出手段２５のオン／オフを検知することにより、架台３２の位置を検出することができる。
【００１９】
図５は前眼部観察・前眼部撮影の動作フローチャート図である。先ず、撮影者が被検者Ｓの前眼部を観察・撮影する際には、操作桿３４、架台位置検出手段２５を用い、本体部３３を被検者Ｓから遠去かるように操作する。この操作は、制御手段２２により各部位を初期化した後に、ステップＳ１において架台位置検出手段２５により被検者Ｓと架台３２の距離を確認し、本体部３３が所定値以上に被検者Ｓから遠去かったことを検知する。そして、被検者Ｓと架台３２の距離が所定値以下と判断された場合には、ステップＳ２に進み、合焦レンズ１８の位置を初期値に戻すか任意の位置とする。
【００２０】
また、被検者Ｓに対する架台３２の距離が所定値以上あると判断された場合にはステップＳ３に進み、光路内に撮像倍率を変更する補助レンズ１７が挿入されたか否かを判断する。補助レンズ挿入検出手段２１により補助レンズ１７を検出し、挿入されたことを検出するとステップＳ４に進む。また、ステップＳ３において、光路内に補助レンズ１７があることを検出できない場合にはステップＳ２に進む。
【００２１】
ステップＳ４において、本体部３３が被検者Ｓから遠去かり、光路内に補助レンズ１７が挿入されていると、制御手段２２はそのとき合焦レンズ１８の位置を検出し、制御手段２２のフォーカス位置記憶手段にその位置を記憶する。
【００２２】
続いて、ステップＳ５で合焦レンズ駆動手段２３により、合焦レンズ１８を光路に沿って補助レンズ１７側のプラスディオプタ側に移動し、被検眼の前眼部に合焦できる範囲に移動した後に、ステップＳ６において前眼部の観察又は撮影を実施する。
【００２３】
上述の操作を行い、モニタ２４に映った前眼部像を観察する。その後に、前眼部像の撮影を行う場合には、撮影範囲、ピント合わせが良好であることを確認した後に、撮影スイッチ２６を操作し前眼部に対する静止画撮影を行う。一般に、このときの撮影光は前眼部と眼底部とでは反射率が異なるため、前眼部に対応する光量に設定されて照射される。
【００２４】
本実施例においては、上述のように前眼部の撮影に際して、光学系は一義的に固定されるため、撮影倍率は常に一定に保たれ、過去の画像との比較や画像計測を行う場合に好適である。
【００２５】
図６は眼底部観察・眼底部撮影の動作フローチャート図を示している。眼底部を観察・撮影する際には、補助レンズ１７を光路から退避させてから、撮影者は操作桿３４、架台位置検出手段２５により、本体部３３を被検者Ｓに近付けるように操作する。そして、ステップＳ１１において、被検者Ｓに対する架台３２の位置を確認する。被検者Ｓに対する架台の距離が所定値以上ある場合にはステップＳ１２に進み、合焦レンズ１８をプラスディオプタ側に移動する。架台３２が所定距離以上に離れていないことが確認された場合には、ステップＳ１３に進み、補助レンズ１７が光路内にから退避したか否かを判断する。補助レンズ１７が光路から退避していないと判断されるとステップＳ１２に進む。
【００２６】
ステップＳ１３において、補助レンズ１７が光路から退避したと判断された場合には、ステップＳ１４に進む。補助レンズ挿入検出手段２１からの信号により、補助レンズ１７が光路から退避したことを検知した制御手段２２は、ステップＳ１４においてフォーカス位置記憶手段に記憶された所定の位置に合焦レンズ１８を移動させる。続いて、ステップＳ１５において、モニタ２４に映った眼底像を観察しながら操作桿３４を操作し、被検眼との詳細な位置合わせ、及び合焦レンズ１８による詳細なピント合わせを行い、撮影範囲の確認を行う。
【００２７】
上述のような操作をハロゲンランプ１から発光し、可視光カットされた赤外光により行い、ステップＳ１６においてモニタ２４に映った眼底像を観察し、撮影範囲、ピントが良好であることを確認する。その後に、撮影スイッチ２６を操作し、キセノン管５を発光して静止画撮影を行う。この際に、撮影光は眼底部に適した光量に設定され照射される。
【００２８】
本実施例においては、光路内に補助レンズ１７を設けて挿脱させるようにしたが、合焦範囲を拡大する視度補正レンズ１６を共用するようにしてもよい。また、図５、図６のフローチャート図における本体部３３の位置の検出、及び補助レンズ１７の挿脱状態の検出の順序は何れが先でもよい。
【００２９】
また、前眼観察・眼底観察の切換時の光量の設定は、光源の射出光量を制御してもよいし、図２に示す水晶体絞り８を水晶体絞り８’に連動して切換えることもできる。
【符号の説明】
【００３０】
１  ハロゲンランプ
５  キセノン管
８、８’  水晶体絞り
１６  視度補正レンズ
１７  補助レンズ
１８  合焦レンズ
２１  補助レンズ挿入検出手段
２２  制御手段
２３  合焦レンズ駆動手段
２４  モニタ
２５  架台位置検出手段
２６  撮影スイッチ
３１  基台
３２  架台
３３  本体部
３４  操作桿
【図１】
2011050439.tif 000003
【図２】
2011050439.tif 000004
【図３】
2011050439.tif 000005
【図４】
2011050439.tif 000006
【図５】
2011050439.tif 000007
【図６】
2011050439.tif 000008